(57)【要約】携帯機器および無線アクセスネットワーク間の多重無線リンクのアクティブセットに展開する無線デジタル通信ネットワークにおける無線リンク削除に関するイベントの性能測定情報を収集する方法について記載している。アクティブセットの無線リンクは、サーバセル内でおよび無線ネットワークコントローラによってそれぞれ制御された隣接するクラスタに属する１つ以上の隣接するセルに向けて設定されている。様々なコントローラは、コアネットワークとの通信におけるマスタとして機能するために、もしくは直接制御される無線リソースを管理するためおよび無線リンクの設定もしくは削除を行うマスタからのリクエストを実行するためのスレーブとして機能するために、互いに接続されている。特定の無線リンクをアクティブセットから削除するためにスレーブを呼び出す場合、マスタ無線コントローラは、削除の原因に関する情報もスレーブに送る。前記原因情報を受けた際に、スレーブ無線コントローラは、特定の原因および無線リンクの削除がリクエストされた特定のセルに関する性能測定カウンタをインクリメントする。３ＧＰＰ  ＲＮＳＡＰ無線リンク削除リクエストメッセージは、削除の“原因”を特定するのに使用する情報要素を含むようにアップグレードされる。ネットワークのオペレータは、周期的に全てのカウンタをリカバーすることによって、特定の無線リンク障害イベントを特定のセルに関連付けることができる。
2008511228.tif 000002
【特許請求の範囲】
【請求項１】
少なくともユーザ機器（ＵＥ）と無線アクセルネットワーク（ＵＴＲＡＮ）間の多重無線リンクのアクティブセットに展開する無線デジタル通信ネットワーク（ＵＥ、ＵＴＲＡＮ、コアネットワーク）における無線リンクの削除に関するイベントについて性能測定結果を収集する方法であって、前記無線リンクが、サービングセル（ＮｏｄｅＢ、セルＡ）内におよび隣接するクラスタに属する１つ以上の隣接するセルに向けて設定され、各クラスタが、コアネットワーク（１）と通信するアクティブセットのマスタ（Ｓ−ＲＮＣ）としてまたは直接制御される無線源を管理するとともにマスタからの無線リンクの設定もしくは削除のリクエストを実行するスレーブ（Ｄ−ＲＮＣ）として機能するために互いに（ｌｕｒ）接続した無線コントローラ（Ｓ−ＲＮＣ、Ｄ−ＲＮＣ）によってそれぞれ制御される方法において、
マスタ無線コントローラ（Ｓ−ＲＮＣ）が、特定の無線リンクをアクティブセットから削除するようリクエストするためにスレーブ（Ｄ−ＲＮＣ）を呼び出す際に、削除の原因に関する情報も前記スレーブ送信し、
スレーブ無線コントローラ（Ｄ−ＲＮＣ）が、前記原因情報を受信する際に、特定の原因および無線リンクの削除がリクエストされた特定のセルに関する性能測定カウンタをインクリメントすることを特徴とする方法。
【請求項２】
請求項１記載の方法において、前記原因情報が、音声および／またはパケット接続がリリースされたかどうかに関する指標を含むことを特徴とする方法。
【請求項３】
請求項２記載の方法において、前記原因情報が、接続されたユーザ機器（ＵＥ）との明確な同期性の損失による異常な接続リリースに関する指標を含むことを特徴とする方法。
【請求項４】
請求項２記載の方法において、前記原因情報が、接続リリースを伴わない無線リンク障害に関する指標を含むことを特徴とする方法。
【請求項５】
請求項２記載の方法において、前記原因情報が、正常な接続リリースに関する指標を含むことを特徴とする方法。
【請求項６】
請求項２記載の方法において、前記原因情報が、過剰なトラフィックによる異常な接続リリースに関する指標を含むことを特徴とする方法。
【請求項７】
請求項２記載の方法において、前記原因情報が、ＲＡＢ確立障害に関する指標を含むことを特徴とする方法。
【請求項８】
請求項１から７うちののいずれか一項に記載の方法において、前記原因情報が無線リンク削除リクエストメッセージに含まれていることを特徴とする方法。
【請求項９】
３ＧＰＰ  ＲＮＳＡＰ無線リンク削除リクエストメッセージの内容を含んだ無線リンク削除リクエストメッセージにおいて、前記削除の原因と特定するのに使用する情報要素をさらに含んでいることを特徴とする無線リンク削除リクエストメッセージ。
【請求項１０】
請求項９記載のメッセージにおいて、前記原因が、音声および／またはパケット接続がリリースされたかどうかをさらに含むことを特徴とするメッセージ。
【請求項１１】
請求項１０記載のメッセージにおいて、前記原因が、接続されたユーザ機器（ＵＥ）との明確な同期性の損失による異常な接側リリースを示すことを特徴とするメッセージ。
【請求項１２】
請求項１０記載のメッセージにおいて、前記原因が、接続リリースを伴わない無線リンク障害を示すことを特徴とするメッセージ。
【請求項１３】
請求項１０記載のメッセージにおいて、前記原因が、正常な接続リリースを示すことを特徴とするメッセージ。
【請求項１４】
請求項１０記載のメッセージにおいて、前記原因が、過剰なトラフィックによる異常な接続リリースを示すことを特徴とするメッセージ。
【請求項１５】
請求項１０記載のメッセージにおいて、前記原因が、ＲＡＢ確立障害を示すことを特徴とするメッセージ。
【発明の詳細な説明】
【技術分野】
【０００１】
本発明は、無線デジタル通信ネットワークの分野に関し、更に詳しくは、無線アクセスネットワークと接続されたユーザ機器との間の多重無線リンクを予測する無線デジタル通信ネットワークにおける各セルベースの異常な呼び出しリリースイベントの計数の分散化方法に関する。本明細書における頭字語のリストを、付記１に示した。
【背景技術】
【０００２】
図１ａは、本発明の好適なアプリケーションを構成するＵＭＴＳシステムの一般的な図を示すが、本発明のアプリケーションはこれに限定されるものではない。本明細書はＵＭＴＳのＦＤＤおよびＴＤＤシステムについて記載しており、特許請求の範囲の方法は特定のネットワーク構造によく適合するものであるが、本発明は例えば類似するネットワーク構造を使用しているＧＳＭなどの他の種類のセルラーネットワークに容易に拡張することができる。
【０００３】
図１ａのＵＭＴＳは、ＵＴＲＡＮ（ＴＳ２５．４０１参照）に接続されたコアネットワーク１（ＴＳ２３．００２参照）を備えており、ＵＴＲＡＮは、無線によって複数の携帯ユーザ機器（ＵＥ）に接続している。ＵＴＲＡＮおよびそれを利用するＵＥは、ＲＮＳ（ＴＳ２３．１  １０参照）を構成している。ＵＴＲＡＮはタイプ２およびタイプ３の基地局コントローラ（ＲＮＣ）を一定数含んでおり、各基地局コントローラが、ＵＥにインターフェイス接続したＮｏｄｅＢブロック４、５、６、７と呼ばれるクラスタに接続している。知られているように、全てのＰＬＭＮは、それぞれが固定の基地局の無線サービスエリアに対応した隣接するサービスセルに分割された領域に展開している。１つのＮｏｄｅＢは、１つ以上のセルによって構成されている。２つのＲＮＣ２および３は、Ｉｕｒインターフェイスによって互いに接続し、ＩｕｂインターフェイスによってＮｏｄｅＢ４〜７に接続し、およびＩｕインターフェイスによってコアネットワーク１に接続している。ＮｏｄｅＢおよびＵＥは、Ｕｕ無線インターフェイスによって互いに接続している。Ｕｕインターフェイス上の通信はＣＤＭＡ技術に基づいており、これは、複数の信号を同時間間隔および同周波数帯において伝送することができるが符号領域に分割することを意味する。採用する基準に応じて、ＣＤＭＡ通信はＴＤＭＡ技術に基づくこともできる。ＴＤＭＡ技術では、各フレームを一定数のタイムスロットに分割し、この各々が１つ以上のＣＤＭＡバーストを伝達し、フレームの種々のタイムスロットを、種々のユーザに割り当てまたは共有の信号伝達チャネルに導く。
【０００４】
図１ｂに記載されている典型的なネットワーク構造を参照すると、コアネットワークＣＮは、回路交換部およびパケット交換部を含んでいる。前者はＰＳＴＮ（Public Switched Telephone Network：公衆交換電話網）に接続しており、後者はＩＰ（Internet Protocol：インターネットプロトコル）ネットワークに接続している。回路交換部は、ネットワークにカバーされた領域内をユーザが動き回ることができるようにするためのＭＳＣ／ＶＬＲネットワーク要素を含んでいる。パケット交換部は、ＳＧＳＮおよびＧＧＳＮとして知られる２つのネットワーク要素を含んでいる。前者は、パケット交換領域内のユーザの位置情報を得るためにＭＳＣ／ＶＬＲおよびＨＬＲにインターフェイス接続している。Ｓ−ＲＮＣは、Ｉｕ（ＣＳ）インターフェイスを介してＭＳＣ／ＶＬＲブロックに接続し、およびＩｕ（ＰＳ）インターフェイスを介してＳＧＳＮノードに接続している。ＳＧＳＮノードはさらに、Ｇｎインターフェイスを介してＧＧＳＮノードに接続している。ＧＧＳＮノードはさらに、Ｇｉインターフェイスを介してＩＰネットワークに接続している。
【０００５】
動作に関する限り、ＲＮＣは、コアネットワークと被制御ＮｏｄｅＢにインターフェイス接続するためのリクエスト回線プロトコルと同様に、プロトコルスタックの第２層（ＲＬＣ、ＭＡＣ）および第３層（ＲＲＣ）に関与している。ＮｏｄｅＢは、ＵＥとＲＮＣの接続をインターフェイス接続するためのリクエスト回線プロトコルと同様に、第１層に関与している。ＧＳＭとは異なり、ＵＭＴＳシステムでは、ＵＥと無線アクセスネットワークとの間の無線接続は、１つ以上の無線リンクを利用することができ、この無線リンクの総計はいわゆる“アクティブセット”を構成し、それにより得られる機能は“マクロダイバシチ”と呼ばれ“ソフトハンドオーバ”にも有用である。マクロダイバシチによって、ＵＥは、複数のリンクから有効に受信を行い、受信した全ての信号を最も効率的な方法によって結合する。接続の過程において、アクティブセットを構成するセルの数を変更することができ、すなわち、ＵＥの移動に伴ない、あるセルは除去し、あるセルは追加することができる。例えば、図２においては、先ず、ＵＥはセルＡに接続されているため、１つのセル（セルＡ）のみから構成されるアクティブセットを有しており、次いで、セルＢが追加されることで、アクティブセットは２つのセル（セルＡおよびセルＢ）を有し、最後に、セルＡがセルＣに置換されることにより、２つのセル（セルＡおよびセルＣ）がアクティブセットにあることになる。セルＡが第１のＲＮＣに接続するとともにセルＢおよびセルＣは第２のＲＮＣに接続している場合、最終的にはＵＥは、セルＡおよびセルＣのみに接続していることになり、これらは第１のＲＮＣによって間接的に管理されていることになる。このケースは、ＲＮＣの移転が途中で生じない場合、すなわち、接続の管理が第１のＲＮＣから第２のＲＮＣに移らない場合にも当然当てはまり、これは、実際には頻繁に起こらない動作である。
【０００６】
セルは複数あり、場合によってはＮｏｄｅＢも複数あるとしても、ただ１つのＲＮＣによって、無線接続の制御、維持、終了が行われている。制御ＲＮＣは、サービングＲＮＣ（Ｓ−ＲＮＣ）と称されるのに対し、他の関連するＲＮＣは、ドリフトＲＮＣ（Ｄ−ＲＮＣ）と称される。Ｄ−ＲＮＣは、直接制御されたＮｏｄｅＢのリソースの管理、およびＮｏｄｅＢとＳ−ＲＮＣ間における情報伝達に関与している。Ｄ−ＲＮＣは、Ｉｕｒインターフェイス上でＳ−ＲＮＣと通信している。Ｓ−ＲＮＣは、アクティブセットからの無線リンクの追加、削除もしくは交換の決定を行い、またコアネットワークへの呼び出しの終了を行う。図３は、図２の例を図１のＵＴＲＡＮに適用したものを示しており、図３中において、ＲＮＣ２はＳ−ＲＮＣとして機能し、ＲＮＣ３はＤ−ＲＮＣとして機能している。図３のシナリオにおいては、アクティブセットの接続およびインターフェイスは、太線によって示されている。
【０００７】
３ＧＰＰ（3rd Generation Partnership Project：第３世代移動体通信システムの標準化プロジェクト）は、ＵＭＴＳ  ＦＤＤおよびＴＤＤ無線アクセスネットワークの標準化を行っている。３ＧＰＰ  ＴＳ  ２５．４２３：“無線アクセスネットワーク技術仕様化グループ ；ＵＴＲＡＮ  ＩｕｒインターフェイスＲＮＳＡＰ信号伝達”では、無線リンクを追加もしくは削除するためにＳ−ＲＮＣとＤ−ＲＮＣの間で交換されるメッセージを定義しており、これらの第３層のメッセージはＲＮＳＡＰプロトコルに従う。ＲＮＳＡＰは、共通チャネル（ＣＣＨ）トラフィック通信と同様に、基本的なＲＮＣ間移動および専用チャネル（ＤＣＨ）トラフィックをサポートしている。
【０００８】
通常、全ての無線アクセスネットワークはトラフィックデータを収集しており、これによってオペレータは提供しているサービスの品質を監視することができ、品質が予測したものより良くないと判断された場合には適切な対策を講じることができる。このようなデータの収集は、いわゆる性能測定（ＰＭ）カウンタによって行われている、すなわち、例えば、
・無線アクセスのアテンプト数；
・無線アクセスの成功数；
・無線リンクの失敗数；
・ハンドオーバのアテンプト数；
などの特定のトラフィックイベントのカウンタによって行われている。
【０００９】
また、特定のイベントに関する報告は、特定の原因、例えば、無線アクセスのアテンプト数は、“信号伝達接続”もしくは“パケット呼び出し”もしくは“回路交換呼び出し”などに関して行うことができる。ＰＭカウンタによって収集されたデータによって、他の方法では可視化することができないネットワーク上の問題や非効率性を浮き彫りにすることができる。ハードウェアの故障が予測された場合には、ハードウェアの故障を特定のアラームにより直ちに信号伝達することができるが、例えば、ソフトウェアバグや最適下限セル設計は、明確なアラーム通知とはならない。ここでは、一定量のトラフィックデータを収集するとともにポストの精緻化を行った後に、実用的な結論を導くことができる。ところで、実際には、ＰＭカウンタは、このようなポストの精緻化を行うことのできるトラフィックイベントの収集装置である。従って、この種の問題があるために、ＰＭカウンタは、オペレータがネットワークを制御するためにのみ効果的な手段であるに留まっている。しかしながら、ＰＭカウンタを効果的なものにするためには、これが特定のイベントの発生数のみを報告するだけでなく、収集されたデータを収集した位置情報を報告することが重要である。これは、特に無線リンク障害イベント、すなわち、無線リンクのリリースや場合によっては呼び出しのドロップの原因となっている膨大なイベントを収集するＰＭカウンタに当てはまる。これらの場合には、調査を開始するとともに最終的には必要に応じて介入するためにオペレータが影響を受けているセルを認知していることが非常に重要である。
【概説された技術課題】
【００１０】
一般に、地理的情報がより正確に与えられるに従って、より大きなメモリが、ネットワーク要素がトラフィックデータを収集するのに必要となる。ＰＭカウンタが無線リンク障害イベントを収集する場合、膨大な記憶量のメモリが必要となるため、実際の最適化過程においてはこの地理的情報を提供することは容易ではなく、結果として一般的に報告データの効果は大幅に縮小されている。最終的に無線接続をリリースする無線リンク障害イベントを計数するために予測される機構間の相互作用に起因する課題がある。実際、無線リンクの削除によって必ずしも無線接続はリリースされないことに注意することは重要である。例えば、無線リンクは、より多くの無線リンクを計数するアクティブセットの一部とすることができ、もしくはより良好な受信特性を有する他の無線リンクと交換することができる。しかしながら、Ｄ−ＲＮＣは、無線リンクが削除された後にも無線接続がアクティブであるかどうか、もしくは無線接続がリリースされたかどうかを判断する手段を持ち合わせていない。
【００１１】
次の図４、５および６は、この事実の理解を助けるためにＴＳ２５．４２３により再現されたものである。図４は、図３のＩｕｒインターフェイス上における無線リンク削除手順が成功した場合を示している。図４において、Ｓ−ＲＮＣは、ＲＮＳＡＰ無線リンク削除リクエストメッセージをＤ−ＲＮＣに送る。これにより、先ず、ＵＥとセルＣの間に存在する無線リンクの削除が完了し、無線リンク削除応答メッセージがＤ−ＲＮＣからＳ−ＲＮＣへ返される。ＵＥとセルＣの間に存在する無線リンクは、Ｓ−ＲＮＣにより直接削除される。図５は、ＲＮＳＡＰ“無線リンク削除リクエスト”メッセージの内容を示しており、図６は、“無線リンク削除削除応答”の内容を示している。図５におけるＩＥ／グループ名の種々の表現の意味を以下に示す：
・メッセージタイプは、送信されるメッセージを一意的に特定する。
・処理ＩＤは、同様の手順に属する従う全てのメッセージを関連付けるのに用いられる。同様の手順に従う全てのメッセージは、同じ処理ＩＤを用いる必要がある。このＩＤは、手順の開始ピアにより決定される。
・ＲＬＩＤは、ＵＥに関連した１つのＲＬ用の一意的な識別子（ＩＤ）である。
【００１２】
図５に示されているように、Ｓ−ＲＮＣにより送信される無線リンク削除リクエストメッセージは、Ｄ−ＲＮＣに対して、無線接続が無線リンクの削除後もアクティブであり続けるかどうか、もしくは無線接続がリリースされるかどうかに関する指標を含んでいない。その結果、現在のところＳ−ＲＮＣのみが無線リンクの除去に従った無線接続リリースイベント数を計数することができる。ところで、前述のように、無線リンクの除去は、例えば受信ＮｏｄｅＢにおける無線リンクに対する同期性の損失などの受信品質の不良を契機として行うことができる。最終的に無線接続をリリースするアップリンク同期性の損失は、可能な限り回避すべき異常なイベントであると考えられる。このようなイベントが発生することにより、無線の受信可能範囲が不足していること、もしくはオペレータが解決すべき予期せぬ障害が存在していることを明らかにすることができる。しかしながら、既に説明したように、無線リンク障害が発生することにより多くの無線接続がリリースされる前にオペレータが適切に修復することができるように、そのような多くの障害イベントが起こったセル特性を認識することが不可欠である。収集されたデータと共に必要とされる地理的情報を提供するために、場合によっては間接制御されるセルすなわちＩｕｒを介してＳ−ＲＮＣに接続されているＮｏｄｅＢに沿うセルと同様に、Ｓ−ＲＮＣは直接制御されるセルすなわちＩｕｂを介してＳ−ＲＮＣに接続されたＮｏｄｅＢに沿うセルの数と同数の、無線リンク障害による接続リリースイベント用のＰＭカウンタを備える必要がある。直接制御されるセルのセル特性は蓄積することが可能であり、かつ、一般的にその蓄積が行われているのに対し、他の間接制御されているセルに関しては、このようなセル数が根本的に膨大であることから不可能となっている。いくつかの例を提供する：１つのＲＮＣによって直接管理されるセルは、１０００個オーダーとすることができ、ＲＮＣは一般に他のＲＮＣとの間に最大８個のＩｕｒ接続を有している。それゆえ、隣接するＲＮＣの記録セル状況により、ＰＭカウンタの数は１０００〜８０００にまでに増大することになる。無線リンク障害による接続リリースイベントのための各ＰＭカウンタには、単なる計数以外の多くの付加的な情報領域が関連していることを考慮すると、これは、実際に実行するには本当に煩わしく、非常にコストのかかる課題である。
【概説された技術課題に対する既知の解決法】
【００１３】
この問題を部分的に是正する方法として、少なくとも３つの方法が提供されており、これらを以下に例示する。第１の提案は、Ｄ−ＲＮＣが直接制御しているセル内の１つから検知した無線リンク障害通知に関する報告を返すことによって接続が異常にリリースされる毎にインクリメントするバスケットＰＭカウンタと共にＳ−ＲＮＣを設けるように構成している。この欠点は、取りうる全ての間接接続されたセルそれぞれに独立したＰＭカウンタを有しているために、影響を受けているセルの地理的な位置の情報を全く提供できないことにある。第２の提案は、Ｓ−ＲＮＣ内に、接続可能なＤ−ＲＮＣの数と同数のＰＭカウンタを定義しており、接続されたＤ−ＲＮＣの１つが無線リンク障害イベントの指標の報告を返すことによって接続が異常にリリースされる毎に、このＤ−ＲＮＣに割り当てられた特定のＰＭカウンタがインクリメントするようになっている。この方法によると、障害イベントの起こったＲＮＣを知ることができるが、地理的情報はやはり未知のものである。第３の提案は、近接する第１環に沿った直接接続したセルの取りうる数と同数のＰＭカウンタをＳ−ＲＮＣ内に定義するようになっている。この場合においても、ＰＭカウンタの数が増えるにもかかわらず、所望のセルの正確な地理的な位置は必ずしも得られるわけではない。
【発明の目的】
【００１４】
本発明の主目的は、従来技術の欠点を克服し、ネットワークのエンティティ収集に追加のメモリを必要としない携帯電話と無線アクセスネットワークの間の無線デジタル通信ネットワークにおける無線リンク障害による異常な呼び出しリリースイベントの計数方法を提示することである。
【発明の開示および発明の利点】
【００１５】
本発明は、前記目的を、特許請求の範囲に記載されているような無線アクセスネットワークとそれに接続された携帯電話の間に多重無線リンクを展開する無線デジタル通信ネットワークにおける無線リンク削除に関するイベントの性能測定結果を収集する方法を提供することによって達成している。より詳しくは、多重無線リンクは、サービングセル内でおよび隣接するクラスタの１つ以上のセルに向けて設定されており、各クラスタは、個々の無線コントローラよって制御され、無線コントローラはさらに、コアネットワークとの通信における多重無線リンクのマスタ無線コントローラとしてまたは直接制御される無線源を管理するとともにおよびマスタ無線コントローラからの単一の無線リンクの設定もしくは削除リクエストを管理するためのスレーブ無線コントローラとして機能するために隣接するクラスタの１つ以上の無線コントローラに接続されている。本発明の方法によると、マスタ無線コントローラは、様々な原因により特定の無線リンクの削除をリクエストするためにスレーブ無線コントローラを呼び出す際に、削除の原因の性質についてもスレーブ無線コントローラに通知する。その原因の受信に応じて、スレーブコントローラは、その原因に特有のおよび無線リンク削除のリクエストが行われたセルに特有の内部性能カウンタをインクリメントする。この原因は、呼び出しリリース（呼び出しドロップ／終了）の発生又は不発生の指標によって特定される。呼び出しリリースは、アクセスネットワークと通信するために携帯電話に割り当てられたリソースのプールのリリースを意味する。呼び出しリリースは、正常と異常のどちらもありうる。正常な呼び出しリリースは、例えば２つの相互作用している部分の１つから自発的に終了する場合などに起こる。呼び出しは、無線アクセスネットワークが携帯電話とのアップリンク同期化を完全に失った場合に、その携帯電話のアクティブセットの全ての無線リンクに障害がおきることにより異常に終了する。また呼び出しは、サービスエリア内のトラフィックが過剰であるとネットワークによって異常に終了されることがある。
【００１６】
本発明の目的は、削除リクエストの“原因”を含んだ付加情報要素を（通常はメイン無線コントローラからスレーブ無線コントローラへ送られる）無線リンク削除リクエストメッセージに加えることによって達成される。このようにして、スレーブ無線コントローラ自体が、
・携帯電話からのアップリンク同期化の損失による異常な呼び出し終了；
・呼び出しドロップを伴なわない無線リンク障害；
・通常の呼び出し終了；
・サービスエリア内のトラフィックが過剰であることによる異常な呼び出し終了；
・ＲＡＢ確立障害（例えば現在存在するサービスへの音声／パケットサービスの付加のため）による、呼び出し終了を伴なうもしくは伴なわない、無線リンク削除；
・オペレータの判断における他の原因による無線リンク削除；
のような特定のセルおよび無線リンク削除の特定の“原因”に割り振られたイベントを計数するためのＰＭカウンタをインクリメントすることができる。
【００１７】
付加された“原因”情報の結果として、オペレータは、特定の計数されたイベントを特定の地理的領域に割り振ることができるようになり、これにより、既知の解決方法とは異なり、実用的な情報が失われることがなくなる。各無線コントローラは一般に直接接続している全てのセルの状況を蓄積していることを考慮すると、この解決法は、ネットワーク要素を収集するに当たって追加のメモリを必要としないことになる。
【００１８】
これゆえ、本発明の他の目的は、特許請求の範囲において開示されているように、削除リクエストの特定の理由を含むＲＮＳＡＰ無線リンク削除リクエストメッセージにある。
【００１９】
本発明の事項は、ＵＭＴＳ  ＦＤＤシステムに良く適合しているが、同様のネットワーク構造および回線インターフェイス上の同様のメッセージ交換を予測するＴＤＤモード、および２つの無線コントローラ間（例えばＲＮＣやＢＳＣ）で直接論理接続を予測する他のシステムにも容易に拡張することができる。
【００２０】
新規性を持つと思われる本発明の特徴は、特に添付の特許請求の範囲において説明されている。本発明およびその効果は、以下の実施形態の詳細な説明を参照することによって理解することができる。この実施形態の詳細な説明は、単に非限定的な説明用の図である図の簡単な説明に記載した添付図面と関連して記載されている。
【発明の実施形態の詳細な説明】
【００２１】
本発明の好適な実施形態の説明は、ＵＭＴＳネットワークを参照した前述の図に関する説明を利用している。ネットワークは、それぞれが固定の基地局の無線サービスエリアに対応した隣接するサービスセルに分割された領域に展開している。いわゆるＮｏｄｅＢは、１つ以上のセルから構成されている。それぞれのＮｏｄｅＢは、複数のＵＥと無線によって接続している。さらに多くの隣接したＮｏｄｅＢはＲＮＣに物理的に接続しており、ＲＮＣはコアネットワークに接続している。
【００２２】
図７は、ＵＭＴＳネットワークにおいて使用される信号伝達の一般的なプロトコル構造を図式的に示している。この目的のために、ネットワークは、それぞれＵｕおよびＩｕインターフェイスによって区切られたＵＥ部分、ＵＴＲＡＮ部分およびＣＮ部分に細分化されている（図７には示されていないが、ＵＴＲＡＮはＩｕｒおよびＩｕｂインターフェイスを含んでいる）。図示された構造には、重畳回線非アクセス階層（ＮＡＳ）を有するアクセス階層が示されている。アクセス階層は、ＴＳ２５．４１ｘで定義されたＩｕプロトコル、ＴＳ２５．４２ｘ／ＴＳ２５．４３ｘで定義されたＩｕｒ／Ｉｕｂプロトコル、およびＴＳ２５．２ｘｘおよび２５．３ｘｘで定義された無線プロトコルを含んでいる。ユーザデータおよび制御情報は、無線プロトコルおよびアクセス階層のＩｕプロトコルを用いてＣＮおよびＵＥの間で交換されている。これらのプロトコルは、ユーザが気付くことなくＮＡＳメッセージを伝達する機構、すなわち、いわゆる直接移転手順（ＤＴ）を含んでいる。ＮＡＳ階層は、ＣＭ、ＭＭ、ＧＭＭ、ＳＭＳなどの制御プレーンを扱うために、より高位のプロトコルを含んでいる。
【００２３】
図８は、図１ａおよび１ｂのＵＭＴＳネットワークを参照するＣＳおよびＰＳ制御プレーンのメインプロトコルスタックを示している。図の下側では次の要素：ＵＥ、ＮｏｄｅＢ、Ｄ−ＲＮＣ、Ｓ−ＲＮＣ、ＣＮ、およびそれぞれのインターフェイスＵｕ、Ｉｕｂ、Ｉｕｒ［Ｉｕ（ＣＳ）、Ｉｕ（ＰＳ）］が示されている。制御プレーンの下部は、無線プロトコルおよび非アクセス階層のプロトコルがある転送層を含んでいる。転送層は、レベル１（Ｌ１）層およびレベル２（Ｌ２）層、およびＡＬＣＡＰ部分を含んでいる。制御プレーンの中間部は、無線プロトコルを含んでいる。ＮＡＳプロトコルは、上側に示されている。図８に関して、Ｕｕインターフェイス上の転送プレーンは、レベル１（フィジカル）のＵＴＲＡ  ＦＤＤもしくはＴＤＤモード、およびレベル２のＭＡＣおよびＲＬＣのプロトコルから成っている。Ｉｕｂ、ＩｕｒおよびＩｕインターフェイス上の転送プレーンは、ユーザプレーン用の同様のレベル１層から成っている。ユーザプレーンは、１つ以上のデータストリームおよびデータストリーム用の１つ以上のデータベアラを含んでいる。各データストリームは、インターフェイス用に特化された１つ以上のフレームプロトコルを特徴としている。ＡＴＭおよびＡＡＬ２／ＡＡＬ５は、特にＡＬＣＡＰによって第２層信号伝達プロトコルとして使用されている。
【００２４】
無線プロトコルとして、ＲＲＣ、ＮＢＡＰ、ＲＮＳＡＰおよびＲＡＮＡＰが示されている。ＲＲＣは、ＵＥとＵＴＲＡＮとの間における制御情報伝達のための第３層プロトコルとして使用されている。ＲＲＣメッセージは、無線リンク（ＲＬ）の設定、変更もしくはリリースに必要となる全ての情報を保持しており、これによってペイロードとして高位層にＮＡＳ信号伝達され、ＲＲＣ接続モードにおけるＵＥの移動が可能になる。ＮＢＡＰは、Ｉｕｂインターフェイス上において第３層プロトコルとして使用されている。これは、ＲＮＣおよびＮｏｄｅＢとの間において、共通信号伝達もしくは専用信号伝達を行っている。ＲＮＳＡＰは、Ｉｕｒインターフェイス上において第３層プロトコルとして使用されている。これは、ＣＣＨトラフィック通信に加えて、基本的な相互ＲＮＣの移動性およびＤＣＨトラフィックをサポートしている。ＲＡＮＡＰは、Ｉｕインターフェイス上において第３層プロトコルとして使用されている。これは、ＵＴＲＡＮとコアネットワーク１との間における信号伝達に使用されている。ＲＡＮＡＰは、例えば、ページング、ＲＡＢ（無線ベアラ）管理、Ｓ−ＲＮＣ移転、セキュリティおよび過負荷制御、およびＮＡＳ信号伝達のために、Ｉｕにおいて用いられている。
【００２５】
ＮＡＳプロトコルとして、ＭＭ、ＧＭＭ、ＳＭ、およびＣＭが示されている。ＭＭプロトコルは、例えばＵＥアタッチ／デタッチ、セキュリティ機能、およびロケーション／ルーティングエリアアップデートなどの機能をサポートしている。ＳＭは、ＰＳ接続のためのＰＤＰコンテクストアクティブ化/アクティブ解除をサポートしている。ＣＭは、回路交換呼び出し制御、補正サービス、およびＳＭＳのサポートに使用されている。さらに、ＲＡＮＡＰおよびＲＲＣは、ＵＥとコアネットワークとの間における透過ＮＡＳメッセージ伝達のための直接伝達手順を含んでいる。
【００２６】
本発明は主に信号伝達部であるＲＮＳＡＰに関与しており、他の論拠は３ＧＰＰ  ＴＳ２５．４２３に由来する。例えば、付記２の表１（セクション７）は、機能とＲＮＳＡＰ基本手順との間のマッピングについて示している。これらの機能の中でも、無線リンク管理および専用リソースの無線リンク監視管理は本発明の方法によって大きな効果を有している。各ＲＮＣ（サービングもしくはドリフトの両方）は、直接ＮｏｄｅＢにインターフェイス接続したセルに関する無線リンクを設定、維持、調査および終了させる前記機能を構成する手順を用いることができる。前記無線リンクは、ＤＣＨチャネル上に音声および／またはパケットデータ信号を、個々にもしくは同時に伝達する。監視を行うために、各ＲＮＣは、複数タイプの性能カウンタ、特に、接続されたセルにおける無線リンク障害を計数するカウンタを蓄積するのに十分な余地を有しており、これらのカウンタの数は、ＲＮＣに直接インターフェイス接続されたＮｏｄｅＢのセルの総数に等しくなっている。上述されているように、アクティブセットの概念を導入する場合、各ＲＮＣがＵＥと１つ以上のＮｏｄｅＢとの間において多重無線リンクのマスタＲＮＣもしくはスレーブＲＮＣとして機能することができる。またマスタＲＮＣもしくはスレーブＲＮＣは、それぞれＳ−ＲＮＣもしくはＤ−ＲＮＣと称される。表１に示されたＲＮＳＡＰ手順を実行するための２種類のＲＮＣ間における通信は、２つのネットワーク要素間においてＩｕｒインターフェイスを利用している。本発明による方法は、Ｄ−ＲＮＣにより直接制御されているアクティブセットの無線リンクの削除によって終了するＳ−ＲＮＣによって伝達される原因に関する各イベントを計数するＤ−ＲＮＣを導入するために、Ｉｕｒを介した通信能力を利用している。このタイプの計数の原因に関する知識は、通常アクティブセットの主となるＳ−ＲＮＣのみが保持しているが、関連する情報がＤ−ＲＮＣに伝達されれば、Ｄ−ＲＮＣは各セルベースおよび各原因ベースのカウンタをインクリメントすることができる。図５に示されたＲＮＳＡＰ“無線リンク削除リクエスト”メッセージの内容は、動作可能となるように図９に示されているようにアップグレードされている。アップグレードされたメッセージは、主にＩＥ／グループ名の欄に“原因”の領域が加えられており、それに関連する情報要素（ＩＥ）が対応するメッセージ行に加えられていることにおいて従来のものと異なっている。リリース原因の中でも、以下のものは動作説明欄において予測することができる；
・原因１）：“ＵＥ側における同期の明確な損失による異常な接続リリース。”
・原因２）：“接続リリースを伴わない無線リンク障害”
・原因３）：“正常な接続リリース”
・原因４）：“トラフィックが過剰であることによる異常な接続リリース”
・原因５）：“ＲＡＢ確立障害による接続リリースを伴わないもしくは接続リリースのない無線リンク削除”
・原因６）：“オペレータの判断による他の原因による無線リンク削除”
用語“接続”は、例えばユーザに音声サービス、および／またはペイロードデータサービス、および／または回路交換もしくはパケット交換モード（以下においては主に接続不要）による信号伝達を提供するための、ネットワーク通信を行うためにＵＥに割り当てられた無線アクセスネットワークリソースのプールを意味しているものである。結果として、“接続リリース”との言い回しは、“呼び出しリリース”と同義語であり、ここで“呼び出し”は“音声呼び出し”もしくは“パケット呼び出し”のいずれとしても参照することができる。
【００２７】
受信した削除原因に基づいて、Ｄ−ＲＮＣは、当該セル状況に関連する当該リリース原因の当該ＰＭカウンタをインクリメントするとことができる。特に、Ｄ−ＲＮＣがＳ−ＲＮＣから原因１に関する無線リンク削除リクエストメッセージを受けている場合には、削除に関する無線リンクリクエストを管理するセルに関連する当該ＰＭカウンタをインクリメントしなくてはならない。１つ以上のセル（例えばアクティブセット中の“Ｍ”セル）は、この接続を管理している場合、Ｄ−ＲＮＣは、例えばアクティブセルにおいて認められた少なくとも１つのセルもしくは全てのセルを選択することができるため、それぞれ適切な削除原因の１つのカウンタもしくは“Ｍ”ＰＭカウンタをインクリメントすることができる。同じことが他の原因に関しても起こっている。
【００２８】
ネットワークのオペレータは、周期的に全てのＰＭカウンタを全ＵＴＲＡＮからリカバーすることによって、特定の無線リンク障害イベントを特定の地理的領域（セル）に関連付けることができる。
【付記１】
【００２９】
[付記１]  使用した頭字語
AS (Access Stratum)  アクセス階層
ALCAP (Access Link Control Application Part)  アクセスリンク制御アプリケーション部
BSC (Base Station Controller)  基地局コントローラ
CDMA (Code Division Multiple Access)  符号分割多重接続
CCH (Common Channel)  共通チャネル
CN (Core network)  コアネットワーク
CM (Connection Management)  接続管理
CS (Circuit Switched)  回路交換
DCH (Dedicated Channel)  専用チャネル
D-RNC (Drift RNC)  ドリフトＲＮＣ
DT (Direct Transfer)  直接伝送
FDD (Frequency Division Duplex)  周波数分割複信
GGSN (Gateway GPRS Support Node)  ゲートウェイＧＰＲＳ支持ノード
GMM (GPRS Mobility Management)  ＧＰＲＳ移動性管理
GSM (Global System for Mobile)  移動通信用グローバルシステム
HLR (Home Location Register)  ホームロケーションレジスタ
IP (Internet Protocol)  インターネットプロトコル
MAC (Medium Access Control layer)  媒体アクセス制御
MM (Mobility Management)  移動性管理
NAS (Non Access Stratum)  非アクセス階層  
NBAP (Node B Application Part)  ＮｏｄｅＢアプリケーション部
NE (Network Element) ネットワーク要素
PDP (Packet Data Protocol)  パケットデータプロトコル
PLMN (Public Land Mobile Network)  パブリックランドモバイルネットワーク
PM (Performance Measurements)  性能測定
PS (Packet Switched)  パケット交換
PSTN (Public Switched Telephone Network)  公衆交換電話網
RAB (Radio Access Bearer)  無線アクセスベアラ
RANAP (Radio Access Network Application Part)  無線アクセスネットワークアプリケーション部
RLC (Radio Link Control layer)  無線リンクコントロール層
RNC (Radio Network Controller)  無線ネットワークコントローラ
RNS (Radio Network Subsystem)  無線ネットワークサブシステム
RNSAP (Radio Network Subsystem Application Part)  無線ネットワークサブシステムアプリケーション部
RRC (Radio Resource Control layer)  無線リソースコントロール層
SM (Session Management)  セクション管理
SMS (Short Message Service)  ショートメッセージサービス
SGSN (Serving GPRS Support Node)  サービングＧＰＲＤサポートノード
S-RNC (Serving RNC)  サービングＲＮＣ
TDD (Time Division Duplex)  時間分割複信
TDMA (Time Division Multiple Access)  時間分割多重アクセス
UE (User Equipment)  ユーザ機器
UTRAN (Universal Terrestrial Radio Access Network)  ユニバーサルテレストリアル無線アクセスネットワーク
UMTS (Universal Mobile Terrestrial System)  ユニバーサルモバイルテレストリアルシステム
VLR (Visitor Location Register)  ビジタロケーションレジスタ
3GPP (3rd Generation Partnership Project)  第３世代移動体通信システムの標準化プロジェクト
【付記２】
【００３０】
2008511228.tif 000003
2008511228.tif 000004
【図面の簡単な説明】
【００３１】
【図１ａ】図１ａは、それぞれＵＭＴＳシステムの一般図、および図１ａのコアネットワークの一般図を示している。
【図１ｂ】図１ｂは、それぞれＵＭＴＳシステムの一般図、および図１ａのコアネットワークの一般図を示している。
【図２】図２は、ＵＥがセルＡからセルＣに移動する間のアクティブ無線リンクセットの変化を示している。
【図３】図３は、図２の例を図１のＵＴＲＡＮに適用した適用例を太線によって強調して示している。
【図４】図４は、３ＧＰＰ  ＴＳ２５．４２３に基づいた、Ｉｕｒインターフェイス上において無線リンク削除手順が成功した場合を示している。
【図５】図５は、３ＧＰＰ  ＴＳ２５．４２３に基づいた、ＲＮＳＡＰ無線リンク削除リクエストメッセージの内容について示している。
【図６】図６は、３ＧＰＰ  ＴＳ２５．４２３に基づいた、無線リンク削除応答メッセージの内容について示している。
【図７】図７は、図１ａおよび１ｂのＵＭＴＳネットワークにおいて使用される信号伝達の一般的なプロトコル構造を図式的に示している。
【図８】図８は、図１ａおよび１ｂのＵＭＴＳネットワークの様々なインターフェイスにおけるＣＳおよびＰＳ制御プレーンプロトコルスタックを示している。
【図９】図９は、本発明によるＲＮＳＡＰ“無線リンク削除リクエスト”メッセージの内容を示している。
【図１ａ】
2008511228.tif 000005
【図１ｂ】
2008511228.tif 000006
【図２】
2008511228.tif 000007
【図３】
2008511228.tif 000008
【図４】
2008511228.tif 000009
【図５】
2008511228.tif 000010
【図６】
2008511228.tif 000011
【図７】
2008511228.tif 000012
【図８】
2008511228.tif 000013
【図９】
2008511228.tif 000014
【国際調査報告】
2008511228.tif 000015
2008511228.tif 000016
2008511228.tif 000017